(57)【要約】【課題】板状部材の位置決め精度を維持しつつ、表示板の変形を抑制可能な時計を得る。【解決手段】表示板１４と、表示板１４を板厚方向の軸を中心に回転可能に支持すると共に、軸方向に沿って設置されるムーブメント１８と、ムーブメント１８において軸方向に立設するストレートピン４２と、表示板１４に設けられ、ストレートピン４２が挿入されると共に軸の周方向一方側に向かって幅員が減少する幅員減少部５０を有する開口部４４と、表示板１４を周方向他方側に回転させ、幅員減少部５０でストレートピン４２を挟持させる回転機構としてのテーパーピン４０がムーブメント１８に設けられ、及び回転機構としての丸孔４６が表示板１４に設けられている。【選択図】図３
2019164072.tif 000002
【特許請求の範囲】
【請求項１】
板状部材と、
前記板状部材を板厚方向の軸を中心に回転可能に支持すると共に、軸方向に沿って設置される設置部と、
前記設置部において前記軸方向に立設するピンと、
前記板状部材に設けられ、前記ピンが挿入されると共に前記軸の周方向一方側に向かって幅員が減少する幅員減少部を有する開口部と、
前記板状部材を周方向他方側に回転させ、前記幅員減少部で前記ピンを挟持させる回転機構と、
を備える時計。
【請求項２】
前記回転機構は、
前記設置部において前記軸方向に立設し、先端に向けて縮径するテーパーピンと、
前記板状部材に設けられ、前記ピンが前記開口部に挿入される際に前記テーパーピンの前記周方向他方側の周面が接触する壁部と、
を備える請求項１に記載の時計。
【請求項３】
前記テーパーピンは、前記設置部から着脱可能である、請求項２に記載の時計。
【請求項４】
前記回転機構は、
前記設置部において前記軸方向に立設する偏心ピンと、
前記板状部材に設けられ、前記偏心ピンの外周面が接触可能な壁部と、を備え、
前記偏心ピンの回転範囲は、前記壁部と離間する第一の回転範囲と、前記壁部と接触する第二の回転範囲とを有する、請求項１に記載の時計。
【請求項５】
前記回転機構は、
前記板状部材の上面に載置され、前記設置部に向けて縮径するテーパーピンを有する載置部材と、
前記設置部に設けられ、前記テーパーピンが係合する係合穴と、
前記板状部材に設けられ、前記ピンが前記開口部に挿入され、前記テーパーピンが前記係合穴に挿入される際に前記テーパーピンの前記周方向他方側の周面が接触する壁部と、
を備える、請求項１に記載の時計。
【請求項６】
前記壁部は、
前記板状部材に形成された開口の内周面である、請求項２〜請求項５の何れか１項に記載の時計。
【請求項７】
前記壁部は、
前記板状部材の外周に形成された切欠の周方向と交差方向に延びる面である、請求項２〜請求項５の何れか１項に記載の時計。
【発明の詳細な説明】
【技術分野】
【０００１】
本発明は、板状部材を備えた時計に関する。
【背景技術】
【０００２】
特許文献１では、時計の板状部材の一例である表示板の外周部に切欠を設け、この切欠と補助リングに設けた円柱突部とを係合させる表示板の固定構造が開示されている。特許文献１に開示の時計では、円柱突部を弾性変形させて切欠に係合させることで表示板の横ずれや、回転を防止している。
【先行技術文献】
【特許文献】
【０００３】
【特許文献１】特開２００１−１９４４７０号公報
【発明の概要】
【発明が解決しようとする課題】
【０００４】
しかしながら、表示板を固定する際には、表示板の切欠に円柱突部を弾性変形させて押し込む必要があり、円柱突部が短いと弾性不足となり、切欠に円柱突部を押し込み難くなり、表示板の取り付け作業性が悪化する。一方、作業性を改善するために円柱突部の長さを確保すると、時計全体の厚みが増すことにつながり、時計の外観が損なわれる。
【０００５】
本発明は上記事実を考慮し、板状部材の位置決め精度を維持しつつ、板状部材を容易に取り付け可能となる時計の提供を目的とする。
【課題を解決するための手段】
【０００６】
請求項１に記載の時計は、板状部材と、前記板状部材を板厚方向の軸を中心に回転可能に支持すると共に、軸方向に沿って設置される設置部と、前記設置部において前記軸方向に立設するピンと、前記板状部材に設けられ、前記ピンが挿入されると共に前記軸の周方向一方側に向かって幅員が減少する幅員減少部を有する開口部と、前記板状部材を周方向他方側に回転させ、前記幅員減少部で前記ピンを挟持させる回転機構と、を備える。
【０００７】
請求項１に記載の時計において、板状部材を設置部に取り付ける際には、板状部材の開口部にピンを挿入して板状部材を取付部に取り付ける。回転機構は、幅員減少部でピンを挟持させるように、言い換えれば、ピンが開口部の幅員減少部に食い込むように板状部材を回転させることができる。ピンが幅員減少部に食い込むことで、板状部材の回転方向の位置決め、及び固定が行われる。また、板状部材を設置部に取り付ける際にピンを弾性変形させる必要がないので、板状部材の取り付けが容易になる。
【０００８】
請求項２に記載の発明は、請求項１記載の時計において、前記回転機構は、前記設置部において前記軸方向に立設し、先端に向けて縮径するテーパーピンと、前記板状部材に設けられ、前記ピンが前記開口部に挿入される際に前記テーパーピンの前記周方向他方側の周面が接触する壁部と、を備える。
【０００９】
請求項２に記載の時計では、板状部材の開口部にテーパーピンを挿入してから板状部材を設置部に取り付けると、板状部材の壁部がテーパーピンの傾斜した外周面に沿って摺動し、これによって、ピンが開口部の幅員減少部に食い込むように板状部材が回転する。
【００１０】
請求項３に記載の発明は、請求項２に記載の時計において、前記テーパーピンは、前記設置部から着脱可能である。
【００１１】
請求項３に記載の時計では、テーパーピンが設置部から着脱可能であるため、テーパーピンを容易に交換することができる。
【００１２】
請求項４に記載の発明は、請求項１記載の時計において、前記回転機構は、前記設置部において前記軸方向に立設する偏心ピンと、前記板状部材に設けられ、前記偏心ピンの外周面が接触可能な壁部と、を備え、前記偏心ピンの回転範囲は、前記壁部と離間する第一の回転範囲と、前記壁部と接触する第二の回転範囲とを有する。
【００１３】
請求項４に記載の時計においては、板状部材を設置部に取り付けた後、偏心ピンを回転させて板状部材の壁部を押圧することで、ピンが開口部の幅員減少部に食い込むように板状部材を回転させることができる。
【００１４】
請求項５に記載の発明は、請求項１記載の時計において、前記回転機構は、前記板状部材の上面に載置され、前記設置部に向けて縮径するテーパーピンを有する載置部材と、前記設置部に設けられ、前記テーパーピンが係合する係合穴と、前記板状部材に設けられ、前記ピンが前記開口部に挿入され、前記テーパーピンが前記係合穴に挿入される際に前記テーパーピンの前記周方向他方側の周面が接触する壁部と、を備える。
【００１５】
請求項５に記載の時計においては、ピンが開口部に挿入されるように板状部材を載置部に取り付けた状態で、載置部材のテーパーピンを設置部の係合穴に係合させると、テーパーピンの周方向他方側の周面が板状部材の壁部を押圧し、ピンが開口部の幅員減少部に食い込むように板状部材が回転する。
【００１６】
請求項６に記載の発明は、請求項２〜請求項５の何れか１項に記載の時計において、前記壁部は、前記板状部材に形成された開口の内周面である。
【００１７】
請求項６に記載の時計においては、開口の内周面が押圧されて板状部材が回転する。
【００１８】
請求項７に記載の発明は、請求項２〜請求項５の何れか１項に記載の時計において、前記壁部は、前記板状部材の外周に形成された切欠の周方向と交差方向に延びる面である。
【００１９】
請求項７に記載の時計においては、切欠の周方向と交差方向に延びる面が押圧されて板状部材が回転する。
【発明の効果】
【００２０】
以上説明したように本発明の時計によれば、板状部材の位置決め精度を維持しつつ、板状部材の変形を抑制可能となる、という優れた効果を有する。
【図面の簡単な説明】
【００２１】
【図１】本発明の第１の実施形態に係る時計を示す正面図である。
【図２】（Ａ）は図１に示す時計の２−２線断面図であり、（Ｂ）は変形例に係る時計の断面図である。
【図３】表示板、及びムーブメントを示す分解斜視図である。
【図４】（Ａ）はムーブメントに取り付けられた表示板を示す正面図であり、（Ｂ）は図４（Ａ）に示す表示板の４Ｂ−４Ｂ線断面図である。
【図５】表示板の一部分を拡大した正面図である。
【図６】（Ａ）はピン挿入開口部にストレートピンの先端を挿入した状態を示す正面図であり、（Ｂ）は図６（Ａ）に示す表示板、及びストレートピンの６Ｂ−６Ｂ線断面図である。
【図７】（Ａ）は孔にテーパーピンの先端を挿入した状態を示す正面図であり、（Ｂ）は図７（Ａ）に示す表示板、及びストレートピンの７Ｂ−７Ｂ線断面図である。
【図８】（Ａ）は孔にテーパーピンを挿入して表示板を凹部に押し込んだ状態を示す正面図であり、（Ｂ）は図８（Ａ）に示す表示板、及びストレートピンの８Ｂ−８Ｂ線断面図である。
【図９】（Ａ）はピン挿入開口部にストレートピンが食い込んだ状態を示す正面図であり、（Ｂ）は図９（Ａ）に示す表示板、及びストレートピンの９Ｂ−９Ｂ線断面図である。
【図１０】（Ａ）、（Ｂ）は第２の実施形態に係るテーパーピンを示す断面図である。
【図１１】（Ａ）は第３の実施形態に係る時計の表示板、及びテーパーピンを示す表示板の取り付け途中を示す正面図であり、（Ｂ）は図１１（Ａ）に示す表示板、及びテーパーピンの側面図である。
【図１２】（Ａ）は第３の実施形態に係る時計の表示板、及びテーパーピンを示す表示板の取り付け完了状態を示す正面図であり、（Ｂ）は図１２（Ａ）に示す表示板、及びテーパーピンの側面図である。
【図１３】（Ａ）は第４の実施形態に係る時計の表示板、及び偏心ピンを示す表示板の固定前の状態を示す正面図であり、（Ｂ）は図１３（Ａ）に示す表示板、及びテーパーピンの側面図である。
【図１４】（Ａ）は第４の実施形態に係る時計の表示板、及び偏心ピンを示す表示板の固定状態を示す正面図であり、（Ｂ）は図１４（Ａ）に示す表示板、及びテーパーピンの側面図である。
【図１５】（Ａ）は第５の実施形態に係る時計の表示板、及びムーブメントを示す表示板の取り付け前の状態を示す正面図であり、（Ｂ）は図１５（Ａ）に示す表示板、及びムーブメントの断面図である。
【図１６】（Ａ）は第５の実施形態に係る時計の表示板、植え物、及びムーブメントを示す表示板の取り付け状態を示す正面図であり、（Ｂ）は図１６（Ａ）に示す表示板、植え物、及びムーブメントの断面図である。
【発明を実施するための形態】
【００２２】
［第１の実施形態］
本発明の第１の実施の形態を図１〜図９を参照して説明する。
図１、及び図２（Ａ）に示すように、腕時計１０は、外装をなすケース１２を備える。
【００２３】
ケース１２内には、円形の表示板１４、時刻を指し示す時刻表示針１６（図１では図示省略）の動きを制御するムーブメント１８等の機構が収められている。ムーブメント１８は、中枠２０と共にケース１２の内部に収容されている。表示板１４は、本発明の板状部材の一例であり、ムーブメント１８は、本発明の設置部の一例である。
【００２４】
ムーブメント１８は、モーターの駆動力で時刻表示針１６を駆動するタイプのものであってもよく、ゼンマイの駆動力で時刻表示針１６を駆動するタイプのものであってもよい。
【００２５】
表示板１４を構成する材料としては、一例として金属、合成樹脂、ガラス、セラミックス等を用いることができ、特に限定されるものではなく、従来公知の材料を用いることができる。なお、表示板１４は、例えば、モーターを駆動する電力を得るためのソーラーパネルを備えていてもよく、液晶表示板、ＥＬ発光板等を備えていてもよい。
【００２６】
図３、及び図４に示すように、ムーブメント１８の表面側には、中央部分に、図２に示す時刻表示針１６を取り付ける針軸１８Ａが突出している。図２（Ａ）に示すように、本実施形態の時刻表示針１６は、時針１６Ａ、分針１６Ｂ、秒針１６Ｃを含んで構成されている。図４（Ａ）に示すように、表示板１４には、中心部に針軸１８Ａを挿通させる針軸挿通孔１４Ａが形成され、周部に時刻表示目盛２２が設けられている。針軸挿通孔１４Ａの内径は、針軸１８Ａが接触しないように、内径が針軸１８Ａの外径よりも大きい。
【００２７】
図２（Ａ）、及び図３に示すように、ムーブメント１８の時計表面側には、表示板１４を嵌め込むための平面視で円形の凹部２４が形成されている。凹部２４の内径は、表示板１４の外径よりも若干大きく、表示板１４は、凹部２４の内部において径方向の動きは規制されるが、若干の回転は可能となっている。
【００２８】
図２（Ａ）に示すように、ケース１２は、環状に形成された胴１２Ａの厚み方向の表面側に、環状のガラス縁２６が環状のガラス縁固定パッキン２８を介して液密に装着されている。ガラス縁２６の内周側には、環状のガラス固定パッキン３０を介して透視カバーとしての円形のガラス３２が液密に装着されている。このガラス３２を通して表示板１４、及び時刻表示針１６が透視可能となっている。
【００２９】
また、ケース１２には、胴１２Ａの厚み方向の裏面側に、裏ぶた３４が装着されている。本実施形態の裏ぶた３４は、所謂スクリューバックであり、ケース１２と裏ぶた３４との間には、環状の裏ぶたパッキン３６が設けられている。
【００３０】
ガラス縁２６の内周部には、径方向内側に向けて突出する環状凸部３８が、厚み方向の中間部に形成されている。この環状凸部３８は、表示板１４の外周部を時計表面側から覆っており、これにより、表示板１４は、ムーブメント１８の凹部２４から外れないようになっている。
【００３１】
なお、図２（Ａ）においては、表示板１４の裏面と凹部２４の底部との間に隙間Ｓ（ここでは、表示板１４の厚み寸法と略同一寸法）が設けられているが、図２（Ｂ）に示すように、表示板１４の裏面と凹部２４の底部との間に隙間が形成されていなくてもよい。図２（Ａ）に示すように、表示板１４の裏面と凹部２４の底部との間に隙間Ｓを設ける場合には、例えば、凹部２４に、表示板１４を裏面側から支持する突起２４Ａを設けることが好ましい。
【００３２】
（表示板の保持機構）
本実施形態の腕時計１０では、以下に説明するように、表示板１４がムーブメント１８に対して回転方向にがたつかないように支持されている。
【００３３】
図３に示すように、ムーブメント１８の凹部２４の底面には、針軸１８Ａを挟んで径方向の一方側(略６時方向側）にテーパーピン４０が取り付けられており、他方側(略１２時方向側）にストレートピン４２が取り付けられている。テーパーピン４０は、軸方向に直角な断面形状が円形とされ、先端に向けて径が徐々に減少している円錐台形状とされている。一方、ストレートピン４２は、軸方向に直角な断面形状が円形とされ、全長に渡って一定の径に形成されている。
【００３４】
図４、及び図５に示すように、ムーブメント１８の平面視で、テーパーピン４０の中心軸４０Ｃ、針軸１８Ａの中心軸１８Ｃ、及びストレートピン４２の中心軸４２Ｃは、一直線状に配置されている（図４の仮想直線ＦＬ上に配置されている。）。
【００３５】
表示板１４には、針軸挿通孔１４Ａを挟んで径方向の一方側（略１２時方向側）に、ストレートピン４２が挿入される開口部４４が形成され、他方側（略６時方向側）に、テーパーピン４０が挿入される丸孔４６が形成されている。なお、テーパーピン４０、及び丸孔４６が、本発明の回転機構の一例である。
【００３６】
図５に示すように、開口部４４は、反時計回り方向（矢印ＣＣＷ方向）に向けて徐々に幅寸法が減少する先細り形状とされており、表示板１４の径方向外側に位置する外側傾斜面４８Ａ、表示板１４の径方向内側に位置する内側傾斜面４８Ｂ、表示板１４の反時計回り方向（矢印ＣＣＷ方向）に位置する小円弧部４８Ｃ、表示板１４の時計回り方向（矢印ＣＷ方向）に位置する大円弧部４８Ｄを備えている。なお、外側傾斜面４８Ａと内側傾斜面４８Ｂとで本実施形態の幅員減少部５０が構成されている。
【００３７】
本実施形態では、小円弧部４８Ｃの曲率半径ｒ２はストレートピン４２の曲率半径ｒ１（外径の半分）に対して小さく、大円弧部４８Ｄの曲率半径はストレートピン４２の曲率半径ｒ１よりも大きく設定されている。また、外側傾斜面４８Ａと内側傾斜面４８Ｂとの反時計回り方向側（矢印ＣＣＷ方向側）の間隔寸法Ｗ１は、ストレートピン４２の直径寸法よりも小さく、外側傾斜面４８Ａと内側傾斜面４８Ｂとの時計回り方向側（矢印ＣＣＷ方向側）の間隔寸法Ｗ２は、ストレートピン４２の直径寸法よりも大きく設定されている。
【００３８】
開口部４４は、ストレートピン４２を挿入した際に、ストレートピン４２の外周面が開口部４４の内周面（外側傾斜面４８Ａ、内側傾斜面４８Ｂ、小円弧部４８Ｃ、大円弧部４８Ｄ）に接触しない大きさに形成されている。また、開口部４４は、ストレートピン４２を挿入した状態で、反時計回り方向（矢印ＣＣＷ方向）に回転させた際に、ストレートピン４２の外周面が、外側傾斜面４８Ａの長手方向中間部、及び内側傾斜面４８Ｂの長手方向中間部に接触し、小円弧部４８Ｃには接触しないように、その大きさが設定されている。
【００３９】
（表示板の取り付け手順）
以下に、ムーブメント１８に表示板１４を取り付ける手順を説明する。
（１）  先ず最初に、表示板１４をムーブメント１８の上方のおおよその位置に配置した後、開口部４４側が若干下がるように表示板１４を傾けて  図６に示すように、表示板１４の開口部４４にストレートピン４２の先端を挿入する。
【００４０】
（２）  次に、表示板１４の丸孔４６側を下げ、図７に示すように、丸孔４６にテーパーピン４０の先端を挿入する。丸孔４６の中心軸４６Ｃとテーパーピン４０の中心軸４０Ｃとは、周方向にずれているので、テーパーピン４０の時計回り方向側（ＣＷ方向側）の傾斜面に丸孔４６の内周端部が接触する。
【００４１】
（３）  次に、表示板１４をムーブメント１８の凹部２４に更に押し込むと、図８に示すように、丸孔４６の内周端部がテーパーピン４０の傾斜面を基部に向けて摺動し、表示板１４は時計回り方向（ＣＷ方向）に回転する。
【００４２】
（４）  表示板１４が時計回り方向（ＣＷ方向）に回転すると、図９に示すように、開口部４４がストレートピン４２に対して時計回り方向に相対移動し、ストレートピン４２が幅員減少部５０に食い込み、表示板１４の回転方向の位置決め、及び固定が行われる。
【００４３】
（５）  次に、表示板１４を取り付けたムーブメント１８をケース１２の内部の予め決められた位置に配置し、ガラス縁２６をケース１２に取り付ける。これにより、表示板１４は、図２（Ａ）に示すように、ガラス縁２６の環状凸部３８とムーブメント１８の凹部２４との間に挟まれた状態となり、腕時計１０の厚み方向にがたつかない様に支持される。
【００４４】
本実施形態では、このようにして表示板１４をムーブメント１８の凹部２４に押し込むという簡単な作業で表示板１４をムーブメント１８に対し、正しい向きで精度良く取り付けることができる。これにより、表示板１４の時刻表示目盛２２に対して、時針１６Ａ、分針１６Ｂ及び秒針１６Ｃがずれて見えることを抑制することができる。
【００４５】
また、表示板１４をムーブメント１８に取り付ける際に、テーパーピン４０、及びストレートピン４２を弾性変形させる必要がないので、表示板１４にテーパーピン４０、及びストレートピン４２から大きな力が作用せず、表示板１４の変形が抑制される。これにより、表示板１４を薄く形成することも可能となり、腕時計１０の薄型化を図ることもできる。
【００４６】
さらに、テーパーピン４０、及びストレートピン４２は、表示板１４の端部に接触するだけの長さがあればよいので、テーパーピン４０、及びストレートピン４２を弾性変形し易いように長くする必要が無い。言い換えれば、テーパーピン４０、及びストレートピン４２は、例えば、図２（Ｂ）に示すように、表示板１４の厚さ寸法と同程度の長さがあればよく、テーパーピン４０、及びストレートピン４２の長さに影響されて腕時計１０の厚み寸法が増えることは無い。
【００４７】
本実施形態では、テーパーピン４０、及び丸孔４６が腕時計１０の略６時方向側に設けられ、ストレートピン４２、及び開口部４４が腕時計１０の略１２時方向側に設けられていたが、本発明はこれに限らず、テーパーピン４０、丸孔４６、ストレートピン４２、及び開口部４４はガラス縁２６で隠れる位置に設けられていればよく、実施形態で示した位置以外の部位に設けてもよい。
【００４８】
［第２の実施形態］
本発明の第２の実施形態に係る腕時計１０を図１０にしたがって説明する。なお、第１の実施形態と同一構成には同一符号を付し、その説明は省略する。
【００４９】
図１０（Ａ）に示すように、本実施形態のムーブメント１８には、孔５２が形成されており、テーパーピン４０の基端部には、孔５２に挿入可能な突起５４が形成されている。
そして、突起５４が孔５２に挿入されることによりテーパーピン４０とムーブメント１８が固定されるようになっている。なお、この固定状態の一例としては、突起５４が孔５２に挿入され、接着されることによりムーブメント１８に対しテーパーピン４０を固定してもよい。このように構成することで、一種類のムーブメント１８に、径が異なる複数のテーパーピン４０を用いることが出来るため、一種類のムーブメント１８に、多種類の表示板１４を固定することが出来る。
また、固定状態の他の例として、ムーブメント１８に対しテーパーピン４０が交換可能となるようにしてもよく、例えば、突起５４の外形と孔５２の内径が、中間ばめ又は締まりばめ（JIS B 0401等）の関係にあるようにしてもよいし、突起５４と孔５２に互いにかみ合うねじ山を形成するようにしてもよい。
このように構成することで、上記効果に加えて、テーパーピン４０を、図１０（Ｂ）に示すような径が異なる別のテーパーピン４１に交換することも可能である。これにより、表示板１４を固定する際の微調整（表示板１４の周方向の回転量の調整）や、破損時の修理対応が可能となる。
【００５０】
［第３の実施形態］
本発明の第３の実施形態に係る腕時計１０を図１１、及び図１２にしたがって説明する。なお、第１の実施形態と同一構成には同一符号を付し、その説明は省略する。
【００５１】
図１１に示すように、本実施形態の表示板１４には、第１実施形態の丸孔４６（図５参照）の代わりに、略矩形状とされた切欠５６が外周部に形成されている。この切欠５６には、表示板１４の径方向に沿って延びる壁部５６Ａ、５６Ｂが設けられている。
【００５２】
本実施形態では、第１の実施形態の図６に示すように、ストレートピン４２を開口部４４の幅員減少部５０に接触しないように挿入した際に、図１１に示すように、切欠５６の時計回り方向側（ＣＷ方向側）の壁部５６Ａにテーパーピン４０の先端側の傾斜面が接触するように、切欠５６の位置、及びテーパーピン４０の位置が決められている。
【００５３】
（表示板の固定方法）
図１１に示す状態から表示板１４を押し下げると、図１２に示すように切欠５６の壁部５６Ａがテーパーピン４０の傾斜面を基部に向けて摺動し、表示板１４が時計回り方向（ＣＷ方向）に回転する。
【００５４】
表示板１４が時計回り方向（ＣＷ方向）に回転すると、第１の実施形態にて説明したように、開口部４４がストレートピン４２に対して時計回り方向に相対移動し、ストレートピン４２が幅員減少部５０に食い込み、表示板１４の回転方向の位置決め、及び固定が行われる。
【００５５】
このように、本実施形態の腕時計１０においても、第１の実施形態と同様に、表示板１４を押し下げるだけで、表示板１４の回転方向の位置決め、及び固定が行われる。また、第１の実施形態と同様に、テーパーピン４０、及びストレートピン４２を弾性変形させる必要がないので、表示板１４の変形を抑制することができる。
【００５６】
［第４の実施形態］
本発明の第４の実施形態に係る腕時計１０を図１３、及び図１４にしたがって説明する。本実施形態は、第３の実施形態の変形例であり、第３の実施形態と同一構成には同一符号を付し、その説明は省略する。
【００５７】
図１３に示すように、ムーブメント１８には、丸孔５８が形成されており、この丸孔５８には、偏心ピン６０の第１軸６２が回転可能に挿入されている。偏心ピン６０には、第１軸６２の一端側に、第２軸６４が一体的に形成されている。第１軸６２の中心軸６２Ｃと、第２軸６４の中心軸６４Ｃとは、径方向に変位している。また、第２軸６４の端部には、マイナスドライバーの先端を挿入する溝６６が形成されている。
【００５８】
本実施形態の表示板１４は、第１の実施形態の図６に示すように、ストレートピン４２が開口部４４の幅員減少部５０に接触しないように挿入した際に、図１３に示すように、切欠５６の時計回り方向側（ＣＷ方向側）の壁部５６Ａに、偏心ピン６０の第２軸６４が接触しないように、予め第２軸６４を第１軸６２に対して表示板１４の反時計回り方向側（矢印ＣＣＷ方向側）へ変位させておく。
表示板１４を時計回り方向（矢印ＣＷ方向）へ回転させるには、マイナスドライバーの先端を第２軸６４に形成された溝６６に挿入し、偏心ピン６０を、例えば時計回り方向（図１４（Ａ）における矢印Ｃ方向）へ回転させれば良い。これにより、第２軸６４は、第１軸６２の中心軸６２Ｃを回転中心として偏心した状態で回転し、回転するにつれて、壁部５６Ａと第２軸６４との距離が相対的に近づくようになり、壁部５６Ａが第２軸６４の側面で押圧されて表示板１４が時計回り方向（矢印ＣＷ方向）へ回転する。        
【００５９】
表示板１４をムーブメント１８の凹部２４に挿入した後、偏心ピン６０を何れかの方向に回転させ、図１４に示すように、第２軸６４の外周面で切欠５６の壁部５６Ａを時計回り方向（矢印ＣＷ方向）へ押して表示板１４を時計回り方向（矢印ＣＷ方向）へ回転させる。
【００６０】
表示板１４が時計回り方向（ＣＷ方向）に回転すると、第１の実施形態で説明したように、開口部４４がストレートピン４２に対して時計回り方向に相対移動し、ストレートピン４２が幅員減少部５０に食い込み、表示板１４の回転方向の固定が行われる。
【００６１】
このように、本実施形態の腕時計１０では、表示板１４を凹部２４に挿入した後、偏心ピン６０を回転させるだけで、表示板１４の回転方向の位置決め、及び固定を簡単に行うことができる。また、偏心ピン６０を弾性変形させる必要はないので、表示板１４の変形を抑制することができる。
【００６２】
なお、偏心ピン６０の１回転中で、第２軸６４が壁部５６Ａから離間している回転範囲が本発明の第一の回転範囲であり、第２軸６４が壁部５６Ａに接触している回転範囲が本発明の第二の回転範囲であり、第二の回転範囲を有することで表示板１４を回転させることができる。
【００６３】
［第５の実施形態］
本発明の第５の実施形態に係る腕時計１０を図１５、及び図１６にしたがって説明する。なお、前述した実施形態と同一構成には同一符号を付し、その説明は省略する。
【００６４】
図１５に示すように、ムーブメント１８には、テーパー孔状の係合穴６８が形成されており、図６に示すように、ストレートピン４２を開口部４４の幅員減少部５０に接触しないように挿入した際には、図１５に示すように、表示板１４の丸孔４６の中心軸４６Ｃに対して、ムーブメント１８の係合穴６８の中心軸６８Ｃが時計回り方向側（ＣＷ方向側）側に変位しているように、係合穴６８、及び丸孔４６の位置が決められている。
【００６５】
ムーブメント１８の係合穴６８には、表示板１４の丸孔４６を介して、表示板１４の表面に載置する植え物７０のテーパーピン７２の先端側が挿入可能となっている。植え物７０は、本発明の載置部材の一例である。植え物７０としては、例えば、窓枠、時字、マーク等を挙げることができる。
【００６６】
（表示板の固定方法）
図１５に示す状態から、図１６に示すように、植え物７０のテーパーピン７２をムーブメント１８の係合穴６８に押し込むと、テーパーピン７２を押し込む過程でテーパーピン７２の傾斜した時計回り方向側（ＣＷ方向側）の外周面が表示板１４の丸孔４６を摺動し、表示板１４を時計回り方向（ＣＷ方向）に回転させる。
【００６７】
表示板１４が時計回り方向（ＣＷ方向）に回転すると、第１の実施形態にて説明したように、開口部４４がストレートピン４２に対して時計回り方向に相対移動し、ストレートピン４２が幅員減少部５０に食い込み、表示板１４の回転方向の位置決め、及び固定が行われる。
【００６８】
このように、本実施形態の腕時計１０では、表示板１４を凹部２４に挿入した後、植え物７０のテーパーピン７２をムーブメント１８の係合穴６８に押し込むだけで、表示板１４の回転方向の位置決め、及び固定を簡単に行うことができる。また、植え物７０のテーパーピン７２を弾性変形させる必要はないので、表示板１４の変形を抑制することができる。
【００６９】
［その他の実施形態］
以上、本発明の一実施形態について説明したが、本発明は、上記に限定されるものでなく、上記以外にも、その主旨を逸脱しない範囲内において種々変形して実施可能であることは勿論である。
【００７０】
上記実施形態では、設置部の一例としてムーブメント１８を挙げたが、設置部は、表示板１４を取り付けるものであればムーブメント１８以外のものであってもよい。
【００７１】
上記実施形態の表示板１４は、凹部２４に挿入されることで、径方向の動きが規制されているが、本発明はこれに限らず、例えば、ムーブメント１８の中央に針軸１８Ａを挿通させる丸パイプを突出させ、この丸パイプを表示板１４の針軸挿通孔１４Ａに隙間無く挿入させることで表示板１４の径方向の動きを規制することもできる。このような構成とすれば、ムーブメント１８に凹部２４を形成しなくてもよい。
【００７２】
上記実施形態では、本発明を腕時計に適用した例を説明したが、本発明は、腕時計に限らず、腕時計以外の時計にも適用できる。また、時計とは、時刻を表示可能なものであれば特に形状や形態は問わず、時計と呼ばない携帯機器等であってもよい。
【符号の説明】
【００７３】
１０…腕時計（時計）
１４…表示板（板状部材）
１８…ムーブメント（設置部）
４０…テーパーピン（回転機構、テーパーピン）
４２…ストレートピン（ピン）
４４…開口部
４６…丸孔（回転機構、孔）
５０…幅員減少部
５６…切欠
５６Ａ…壁部
５８…丸孔
６０…偏心ピン
６８…係合穴
７０…植え物(載置部材）
７２…テーパーピン（請求項５のテーパーピン）
【図１】
2019164072.tif 000003
【図２】
2019164072.tif 000004
【図３】
2019164072.tif 000005
【図４】
2019164072.tif 000006
【図５】
2019164072.tif 000007
【図６】
2019164072.tif 000008
【図７】
2019164072.tif 000009
【図８】
2019164072.tif 000010
【図９】
2019164072.tif 000011
【図１０】
2019164072.tif 000012
【図１１】
2019164072.tif 000013
【図１２】
2019164072.tif 000014
【図１３】
2019164072.tif 000015
【図１４】
2019164072.tif 000016
【図１５】
2019164072.tif 000017
【図１６】
2019164072.tif 000018